(57)【特許請求の範囲】
【請求項１】
停電発生時に建物のビル設備におけるエレベーターを少なくとも駆動する蓄電池と、停電を検出するとエレベーター駆動用電源を前記蓄電池に切替える電源切替手段と、停電を含みビル設備の異常発生を監視して、通信回線を介して遠隔的に接続される監視センターへ、ビル設備の異常発生を通報するとともに、前記エレベーターの乗りかごや乗場に設けた表示装置に当該異常発生を報知する監視装置と、前記乗りかごの天井部に設けられ、複数個のＬＥＤで構成されたＬＥＤ照明装置と、停電灯とを備えたエレベーターの照明装置において、
前記監視装置に設けられ、前記ＬＥＤ照明装置の個々のＬＥＤに対し、点灯と消灯の割合いを点灯パターンとして複数記憶する照明点灯パターン記憶部と、前記蓄電池による電源供給の経過時間を計測するとともに、この経過時間に応じ前記照明点灯パターン記憶部から点灯パターンを選択する停電時間計測部と、停電発生からの経過時間が所定時間を超えたとき、前記ＬＥＤ照明装置の前記ＬＥＤを消灯させ、前記停電灯を点灯させる制御を行う制御装置とを備えたことを特徴とするエレベーターの照明装置。
【請求項２】
請求項１に記載のエレベーターの照明装置において、
前記停電時間計測部が照明点灯パターン記憶部から選択する点灯パターンは、前記蓄電池による電源供給の経過に応じて減灯傾向としたことを特徴とするエレベーターの照明装置。
【発明の詳細な説明】
【技術分野】
【０００１】
本発明は、エレベーターの照明装置に係り、停電時に蓄電池にて駆動するのに好適なエレベーターの照明装置に関する。
【背景技術】
【０００２】
エレベーターが設置される建物に停電が発生すると、エレベーターの駆動用電源を建物の敷地内に設置される蓄電池に切り替えるとともに、エレベーターの運転を通常の速度より遅くした低速にて走行させ、蓄電池の電力消費量を軽減して蓄電池による長時間の運転を可能とすることが開示されている（特許文献１）。
【先行技術文献】
【特許文献】
【０００３】
【特許文献１】特開２００７−２３８３１６号公報
【発明の概要】
【発明が解決しようとする課題】
【０００４】
しかし、エレベーターは、乗りかごと釣合い錘が主ロープを介して綱車に釣瓶式に巻き掛けられており、乗りかごに乗客がいない場合、上昇のときには釣合い錘に引っ張られ、下降のときは釣合い錘を引き上げるように電動機を回転させる必要があり、乗りかごに乗客がいない上昇のときには電力をほとんど消費しないものであり、特許文献１のようにエレベーターの速度を低速に切替えても、電動機の駆動時間が増加するため、電力の消耗を大幅に抑えることはできなく、エレベーターにおける電力削減は、乗りかごの照明装置に対する節電対策が有効とされている。
【０００５】
また、停電発生に伴う蓄電池による電力供給時に、エレベーターを低速走行に切替えるため、乗りかごの呼び寄せや目的階への到着に時間が掛かり、運行効率が低下するため、エレベーターの利用者に不便を掛けるという問題があった。
【０００６】
本発明の目的は、停電発生後のエレベーターを含むビルの設備の稼働を、少しでも延長できるようにしたエレベーターの照明装置を提供することにある。
【課題を解決するための手段】
【０００７】
上記目的を達成するために、本発明は、停電発生時に建物のビル設備におけるエレベーターを少なくとも駆動する蓄電池と、停電を検出するとエレベーター駆動用電源を前記蓄電池に切替える電源切替手段と、停電を含みビル設備の異常発生を監視して、通信回線を介して遠隔的に接続される監視センターへ、ビル設備の異常発生を通報するとともに、前記エレベーターの乗りかごや乗場に設けた表示装置に当該異常発生を報知する監視装置と、前記乗りかごの天井部に設けられ、複数個のＬＥＤで構成されたＬＥＤ照明装置と、停電灯とを備えたエレベーターの照明装置において、前記監視装置に設けられ、前記ＬＥＤ照明装置の個々のＬＥＤに対し、点灯と消灯の割合いを点灯パターンとして複数記憶する照明点灯パターン記憶部と、前記蓄電池による電源供給の経過時間を計測するとともに、この経過時間に応じ前記照明点灯パターン記憶部から点灯パターンを選択する停電時間計測部と、停電発生からの経過時間が所定時間を超えたとき、前記ＬＥＤ照明装置の前記ＬＥＤを消灯させ、前記停電灯を点灯させる制御を行う制御装置とを備えたことを特徴としている。
【発明の効果】
【０００８】
本発明によれば、停電の経過時間が所定時間を超えたとき、監視装置の制御装置によりＬＥＤ照明装置のＬＥＤが消灯し、停電灯が点灯するので、蓄電池の消耗電力を抑えることができるとともに、停電時の乗りかご内の照明を比較的長い時間延長させることができる。これにより本発明は、エレベータを含むビル設備の稼働を延長でき、居住者に対する利便性を確保することができる。
【図面の簡単な説明】
【０００９】
【図１】本発明の一実施形態に係るエレベーターの照明装置の構成を示すブロック図である。
【図２】本発明の一実施形態に係るエレベーターの照明装置の動作を説明するフローチャートである。
【図３】本発明の一実施形態に係るエレベーターの照明装置の動作を説明するフローチャートである。
【図４】本発明の一実施形態に係るエレベーターの照明装置の断面図とかご内照明の点灯パターンを示す図である。
【発明を実施するための形態】
【００１０】
以下、本発明に係るエレベーターの照明装置の一実施形態を、図１〜図４に基づいて説明する。
【００１１】
図１は本発明の一実施形態に係るエレベーターの照明装置の構成を示すブロック図で、図２，図３は本発明の一実施形態に係るエレベーターの照明装置の動作を説明するフローチャートで、図４は本発明の一実施形態に係るエレベーターの照明装置の断面図とかご内照明の点灯パターン図である。
【００１２】
図１において、一般的にエレベーターは、商用電源である三相交流商用電源１から電源を受電する受電盤２と、電動機５の制御を含むエレベーター制御を行う図示しないエレベーター制御装置を少なくとも設置するエレベーター制御盤４と、図示しない建物に設けられる昇降路２４に配置される乗りかご６と釣合い錘７とで構成される。ここで、乗りかご６と釣合い錘７は、電動機５と同期して回転する図示しない綱車に巻き掛けられる複数本のワイヤーロープ２５の両端に、釣瓶式に取付けられている。
【００１３】
また、エレベーター制御盤４は、受電盤２と電源切替盤３を介して三相交流商用電源１が供給され、電動機５を正転及び逆転の制御を行い、ワイヤーロープ２５を介して乗りかご６と釣合い錘７を昇降させ、乗りかご６に乗り込んだ図示しない乗客を輸送する。
【００１４】
また、停電が発生して三相交流商用電源１から受電盤２へ電源供給が途絶えると、走行していて停止したエレベーターの乗りかご６を、最寄階で停止させ図示しないドアを開放し、乗りかご６内に閉じ込められた図示しない乗客を救出する停電時救出運転装置１７が、エレベーター制御盤４へ接続されている。ここで、停電時救出運転装置１７は図示しない蓄電池を有しており、三相交流商用電源１の停電検出は、受電盤２に接続される後述する監視装置２３の停電検出部１４で検出し、監視装置２３からの信号で、エレベーター制御盤４が停電時救出運転装置１７の起動を指令する。
【００１５】
次に、図示しない建物の共用部に設けられるエレベーター、水道設備、廊下や階段の共用部照明２２、及び、共用部や専有部の出入口に設けられる入退室管理装置、防犯装置等の設備機器を、停電時にも稼働させるため、図示しない建物の敷地内に蓄電池９を設けている。
【００１６】
蓄電池９は、三相交流商用電源１から充電する充電器８と、蓄電池９から出力される直流電源を三相交流電源に変換するインバーター１８とが接続され、このインバーター１８は、停電となると電源供給元を三相交流商用電源１から蓄電池９へ切替える電源切替盤３を介し、エレベーター制御盤４へ電源を供給する。
【００１７】
次に、監視装置２３は、設備機器の異常状況を検出し、通信回線を介して遠隔的に接続される図示しない監視センターへ当該異常を通報するもので、設備機器との信号の入出力を行う入出力装置１６と、入出力装置１６の入力信号の変化を検出し、組み込まれた所定のプログラムで監視装置２３の制御を行う制御装置１５と、制御装置１５が受電盤２の停電情報や復電情報を、入出力装置１６を介して取得すると、電源切換盤３に対して電源供給先を三相交流商用電源１や蓄電池９への切替えを選択的に行う電源切替指令信号を出力する停電検出部１４と、制御装置１５に接続される記憶装置１９に設けられ、停電からの経過時間等によって、乗りかご内照明１３に対し、後述する複数の点灯パターンを予め記憶する照明点灯パターン記憶部２０と、制御装置１５が受電盤２の停電情報や復電情報を、入出力装置１６を介して取得すると、図示しない内部クロックを用いて、停電検出部１４が停電を検出してから経過した時間を計測し、かご内照明１３への照明パターン切替えを選択的に行う照明パターン切替え指令信号を出力する停電時間計測部２１とで構成される。
【００１８】
また乗りかご内照明１３、および共用部照明２２は、分電盤１１と単相電源切替盤１２を介して単相交流商用電源１０が供給され、エレベーター制御盤４を介してかご内照明１３、および共用部照明２２へ電源を供給する。
【００１９】
また、インバーター１８は、停電となると電源供給元を単相交流商用電源１０から蓄電池９へ切替える単相電源切替盤１２を介して、乗りかご内照明１３、および共用部照明２２へ電源を供給する。
【００２０】
次に、図４において、乗りかご６は乗りかご内照明１３に複数個のＬＥＤ照明１３Ａを天井板４５に設置し、遮へい板４６で覆うことで、ＬＥＤ照明１３Ａの点発光と面発光としている。
【００２１】
また、ＬＥＤ照明１３Ａは、ＬＥＤ点灯パターンＴ１に示すように、１００％点灯時は全てを点灯状態１３Ａａとし、ＬＥＤ点灯パターンＴ２に示すように、５０％点灯時は点灯状態１３Ａａと消灯状態１３Ａｂを同数とし、ＬＥＤ点灯パターンＴ３に示すように、２５％点灯時は点灯状態１３Ａａの３倍を消灯状態１３Ａｂとし、このようなＬＥＤ点灯パターンは監視装置２３の記憶装置１９内の照明点灯パターン記憶部２０に予め記憶されている。
【００２２】
次に、本実施形態の動作説明を図２、図３を用いて説明する。
【００２３】
まず、監視装置２３の停電検出部１４は、制御装置１５及び入出力装置１６を介して受電盤２を監視して、三相交流商用電源１の停電を検出し（ステップＳ１）、停電検出部１４が停電を検出していないときに、エレベーターは通常走行する（ステップＳ２）。
【００２４】
ステップＳ１にて停電検出部１４が受電盤２の停電発生を検知すると、制御装置１５は、入出力装置１６を介してエレベーター制御盤４に対してエレベーターの稼働状況を確認し（ステップＳ３）、エレベーター走行中に停電発生した場合は、停電時救出運転装置１７が起動し、乗りかご６を最寄階へ停止させ、ドア４７を開放させて、乗りかご６に閉じ込められている乗客を救出する停電時救出運転（ステップＳ４）を行う。ここで、走行中のエレベーターが停電になると、その場に停止するとともに、かご内照明１３は消灯し、乗りかご６に設けられる図示しないバッテリで電源供給される図示しない停電灯が点灯し、停電時救出運転装置１７の起動を待つ。ここで、図示しない停電灯は、エレベーターの電源供給が断たれたときに、所定の照度で所定時間点灯するもので、建築基準法に設置が義務付けられている。
【００２５】
次に、乗りかご６が最寄階へ到着して停止状態となったり（ステップＳ５）、ステップＳ３でエレベーターが停止中に停電が発生したとき、制御装置１５は、入出力装置１６を介して電源切替盤３と単相電源切替盤１２を作動させ、エレベーター制御盤４及びかご内照明１３と共用部照明２２の電源供給を、蓄電池９及びインバーター１８へ切替える（ステップＳ７）。
【００２６】
電源供給を蓄電池９に切替えた後、制御装置１５は、エレベーター停止状態や、乗場呼びやかご呼びの有無を確認し（ステップＳ８）、エレベーター停止状態で乗場呼びやかご呼びが無い場合、乗りかご内照明１３を消灯し（ステップＳ９）、ステップＳ８に戻り、乗場呼びやかご呼びが発生するまで待機する。
【００２７】
また、ステップＳ８で乗場呼びの発生を検出すると、停電時間計測部２１は、照明点灯パターン記憶部２０からＬＥＤ点灯パターンＴ２を選択し、乗りかご内照明１３が５０％点灯となるように、照明パターン切替え指令信号を制御装置１５へ出力し、制御装置１５は、照明パターン切替え指令信号にてＬＥＤ照明１３Ａを制御し（ステップＳ１０）、エレベーター走行指令を出力する（ステップＳ１１）。
【００２８】
次に、停電時間計測部２１は、停電発生からの経過時間を計数し、２時間以内を判断し（ステップＳ１２）２時間以内であれば、ＬＥＤ点灯パターンＴ２の５０％点灯を継続させ、エレベーターの停止を判断し（ステップＳ１３）、エレベーターが停止するとかご内照明１３を消灯する（ステップＳ１４）。
【００２９】
次に、停電検出部１４は、制御装置１５及び入出力装置１６を介し、商用電源が復電したか否かを受電盤２の監視にて取得し（ステップＳ１５）、復電の場合、ステップＳ１へ戻る。
【００３０】
また、ステップＳ１５にて停電が継続しているときは、ステップＳ８へ戻る。
【００３１】
次に、ステップＳ１２にて停電発生からの経過時間が２時間を超えると、停電時間計測部２１は、停電発生からの経過時間が４時間以内を判断し（ステップＳ１６）、４時間以内であれば、照明点灯パターン記憶部２０からＬＥＤ点灯パターンＴ３を選択し、乗りかご内照明１３が２５％点灯となるよう、制御装置１５はＬＥＤ照明１３Ａを制御し（ステップＳ１７）、ステップＳ１３へ戻る。
【００３２】
また、ステップＳ１６で停電発生からの経過時間が４時間を超えたと判断すると、制御装置１５は、かご内照明１３を消灯させるとともに、乗りかご６内に設けられる図示しない停電等を点灯させるとともに（ステップＳ１８）、エレベーターの乗場やかご呼びが無いことを確認し（ステップＳ１９）、呼びが存在する場合はエレベーターを走行させ（ステップＳ２０）、ステップＳ１９に戻り、ステップＳ１９で呼びが無いときは、エレベーターを停止させ（ステップＳ２１）、復電するまで停止状態を保持する。
【００３３】
本実施形態によれば、停電が発生してからの経過時間により、かご内照明１３であるＬＥＤ照明１３Ａを減灯させるようにしたので、エレベーター設備にかかる蓄電池９の消費電力を抑えることができる。
【００３４】
また、停電の経過時間に伴い、乗りかご６にＬＥＤ照明１３Ａを減灯させるようにしたので、蓄電池９の残存量が概ね把握できるので、居住者の停電対応の準備を速やかに行うことができる。
【００３５】
また、本実施形態では、停電発生からの経過時間によってＬＥＤ照明１３Ａを減灯したが、停電発生からのエレベータの走行時間の累計や、蓄電池９の残容量を計測した数値によって、ＬＥＤ照明１３Ａを減灯させても、同様の効果が得られる。また本実施形態によれば、停電の経過時間が所定時間を超えたとき、監視装置２３の制御装置１５によりＬＥＤ照明１３ＡのＬＥＤが消灯し、図示しない停電灯が点灯するので、前述したように蓄電池９の消耗電力を抑えることができるとともに、停電時の乗りかご６内の照明を比較的長い時間延長させることができる。これにより本実施形態は、エレベータを含むビル設備の稼働を延長でき、居住者に対する利便性を確保することができる。
【００３６】
また、本実施形態では、エレベーターの乗りかご６のＬＥＤ照明１３Ａを減灯させることを説明したが、共用部照明２２に対して減灯させるようにしても、同様の効果が得られる。
【００３７】
また、本実施形態では、ＬＥＤ照明１３Ａの点灯パターンは、ＬＥＤ点灯パターンＴ１の１００％点灯、ＬＥＤ点灯パターンＴ２の５０％点灯、ＬＥＤ点灯パターンＴ３の２５％点灯の３種類で説明したが、乗りかご６の大きさや蓄電池９の容量等によって、点灯パターンの種類を増やしても減らしてもよいことは、明らかである。
【符号の説明】
【００３８】
１    三相交流商用電源
２    受電盤
３    電源切替盤
４    エレベーター制御盤
５    電動機
６    乗りかご
７    釣り合い錘
８    充電器
９    蓄電器
１０    単相交流商用電源
１１    分電盤
１２    単相電源切替盤
１３    かご内照明
１３Ａ  ＬＥＤ照明
１４    停電検出部
１５    制御装置
１６    入出力装置
１７    停電時救出運転装置
１８    インバーター
１９    記憶装置
２０    照明点灯パターン記憶部
２１    停電時間計測部
２２    共用部照明
２３    監視装置
Ｔ１〜Ｔ３  ＬＥＤ点灯パターン
【図１】
0005706292.tif 000002
【図２】
0005706292.tif 000003
【図３】
0005706292.tif 000004
【図４】
0005706292.tif 000005